(57)【要約】【課題】現場の１階廻りの動線を制限せずにストックヤード等の仮設設備を設置することで作業効率を向上させることができ、また、仮設設備と作業場との往復時間を短くして生産性を向上させることができる建設工事用仮設物を提供することを目的としている。【解決手段】工事中の構造物Ａに形成された上下方向に複数層に亘って延在する空間Ｓの中に、工事に使用される仮設設備５…を配設させる建設工事用仮設物１であって、空間Ｓ内に架設される上部支持部２と、上部支持部２から吊り下げられた懸垂材３…と、懸垂材３…を介して上部支持部２に吊持された吊り部４…とが備えられ、吊り部４…に仮設設備５…が設置されている。【選択図】図１
2007255044.tif 000002
【特許請求の範囲】
【請求項１】
工事中の構造物に形成された上下方向に複数層に亘って延在する空間の中に、前記工事に使用される仮設設備を配設させる建設工事用仮設物であって、
前記空間内に架設される上部支持部と、該上部支持部から吊り下げられた懸垂材と、該懸垂材を介して前記上部支持部に吊持された吊り部とが備えられ、
該吊り部に前記仮設設備が設置されていることを特徴とする建設工事用仮設物。
【請求項２】
請求項１記載の建設工事用仮設物において、
前記上部支持部は、前記構造物の躯体間に架け渡すように該躯体上に載せられていることを特徴とする建設工事用仮設物。
【請求項３】
請求項２記載の建設工事用仮設物において、
前記上部支持部には、前記構造物の躯体間に架け渡される支持ビームが備えられており、該支持ビームは、両端が伸縮又は回動可能な構成になっていることを特徴とする建設工事用仮設物。
【請求項４】
請求項１から３のいずれかに記載の建設工事用仮設物において、
前記仮設設備と前記構造物のフロアとの間には渡り設備が設けられていることを特徴とする建設工事用仮設物。
【請求項５】
請求項１から４のいずれかに記載の建設工事用仮設物において、
前記仮設設備として、出入口に可動戸が設けられたコンテナを用いることを特徴とする建設工事用仮設物。
【請求項６】
請求項１から５のいずれかに記載の建設工事用仮設物において、
前記仮設設備の前方には、構造物のフロア側に開くとともに開いた状態で開閉動がロックされる扉が設けられていることを特徴とする建設工事用仮設物。
【請求項７】
請求項１から６のいずれかに記載の建設工事用仮設物において、
前記吊り部が上下方向に間隔をあけて複数段設けられていることを特徴とする建設工事用仮設物。
【発明の詳細な説明】
【技術分野】
【０００１】
本発明は、構造物の建設工事や改修工事に用いられる建設工事用仮設物に関する。
【背景技術】
【０００２】
従来、建築工事現場には、仕上げ材や設備材、電設材等の資材、及び加工道具や施工道具等の機材をストックするためのストック棚（仮設設備）が設置されている（例えば、特許文献１参照。）。また、建築工事現場には、作業員が使用するための仮設トイレ（仮設設備）や、作業員の休憩所として仮設ハウス（仮設設備）が設置される場合が多い。さらに、建築工事現場には、廃材の一次集積場としてコンテナ（仮設設備）が設置される場合もある。上記したストック棚や仮設トイレ、コンテナ等の仮設設備は、通常、現場建物の１階・地下階の部分、若しくは現場建物の周囲の空きスペースに設置される場合が多い。
【０００３】
また、近年では、立体駐車場の駐車スペースを資機材のストックヤードとして利用する技術が提案されている。この技術によれば、建物の１階廻りのスペースに余裕がなくても資機材をストックするスペースを確保することができる。（例えば、特許文献２参照。）。
【０００４】
また、現場建物の中層階の室内を資機材のストックヤードとして利用する技術も提案されている。この技術によれば、現場建物の上層部で作業する際、資機材の出し入れに要する労力が軽減され、作業効率を向上させることができる（例えば、特許文献３参照。）。
【特許文献１】特開平８−１２０９３４号公報
【特許文献２】特開平８−８６０９３号公報
【特許文献３】特開平１１−２２１９９号公報
【発明の開示】
【発明が解決しようとする課題】
【０００５】
しかしながら、現場建物の１階廻りに仮設設備を設置する上記した従来の技術では、建物１階部分の余剰スペースが少ない場合、当該部分に仮設設備を設置することによって、工事車輌や作業員、資機材の移動動線が制約され、作業効率が低下して生産性に悪影響を及ぼす問題が生じる。また、建物の１階部分に仮設設備があると、作業場所と仮設設備とが離れる場合が多く、この場合、作業場所と仮設設備との間の往復に時間を要するという問題が生じる。例えば、資機材をストックするストック棚が現場建物の１階廻りに設置されていると、作業場所と仮設設備との間の往復に時間を要し、資材の供給や機材の出し入れ等に時間がかかることになる。特に、超高層建物の現場では、上記した往復時間の問題の影響が大きく、作業員の労務の歩掛りが低下することになる。また、超高層建物の現場では、現場建物の１階廻りにストック棚があると、小さくて軽量な資機材の運搬等にも工事用エレベータ等を使用する傾向にあり、当該工事用エレベータの使用予定に支障をきたし、本来、工事用エレベータで揚重すべき重量の資機材が予定通りに揚重できなくなる場合がある。
【０００６】
また、立体駐車場の駐車スペースをストックヤードとする上記した従来の技術では、現場建物と立体駐車場との間に連絡通路がない場合には、現場建物の工事に使用する資機材を出し入れする際に、一旦１階まで降りてから資機材を出し入れすることになり、その往復に相当の時間を要する。
【０００７】
また、現場建物の中層階の室内をストックヤードとする上記した従来の技術では、その中層階における動線を制限することになり、中層階における作業効率が低下する場合があるという問題が生じる。また、中層階の室内を一次的にストックヤードとして利用することは可能であるが、その室内の電気設備工事や内装工事等を行う際には、そこにストックされた資機材等を別の場所に移動させなければならず、余計な労力を要する。通常、建物室内は、複数の工事を順次行うことになるため、工期を考慮すると、中層階の室内を長期間ストックヤードとして利用することは難しい。
【０００８】
本発明は、上記した従来の問題が考慮されたものであり、現場の１階廻りの動線を制限せずにストックヤード等の仮設設備を設置することで作業効率を向上させることができ、また、仮設設備と作業場との往復時間を短くして生産性を向上させることができる建設工事用仮設物を提供することを目的としている。
【課題を解決するための手段】
【０００９】
請求項１記載の発明は、工事中の構造物に形成された上下方向に複数層に亘って延在する空間の中に、前記工事に使用される仮設設備を配設させる建設工事用仮設物であって、前記空間内に架設される上部支持部と、該上部支持部から吊り下げられた懸垂材と、該懸垂材を介して前記上部支持部に吊持された吊り部とが備えられ、該吊り部に前記仮設設備が設置されていることを特徴としている。
【００１０】
このような特徴により、工事中において未利用の空間（デットスペース）に、仮設設備が吊られた状態で配設される。
【００１１】
請求項２記載の発明は、請求項１記載の建設工事用仮設物において、前記上部支持部は、前記構造物の躯体間に架け渡すように該躯体上に載せられていることを特徴としている。
【００１２】
このような特徴により、クレーン等を用いて、上部支持部と懸垂材と吊り部と仮設設備とを一体で吊り上げることが可能であり、建設工事用仮設物を容易に移動させることができる。
【００１３】
請求項３記載の発明は、請求項２記載の建設工事用仮設物において、前記上部支持部には、前記構造物の躯体間に架け渡される支持ビームが備えられており、該支持ビームは、両端が伸縮又は回動可能な構成になっていることを特徴としている。
【００１４】
このような特徴により、本発明に係る建設工事用仮設物を吊り上げる際に、支持ビームの端部を収縮させることで、支持ビームの端部が躯体等に引っ掛かることが防止される。
【００１５】
請求項４記載の発明は、請求項１から３のいずれかに記載の建設工事用仮設物において、前記仮設設備と前記構造物のフロアとの間には渡り設備が設けられていることを特徴としている。
【００１６】
このような特徴により、仮設設備が構造物のフロアから離れて配置されても、構造物のフロアから仮設設備にアクセスが可能になるとともに、仮設設備と構造物のフロアとの隙間（開口）を塞いで落下防止を図ることができる。
【００１７】
請求項５記載の発明は、請求項１から４のいずれかに記載の建設工事用仮設物において、前記仮設設備として、出入口に可動戸が設けられたコンテナを用いることを特徴としている。
【００１８】
このような特徴により、本発明に係る建設工事用仮設物を移動させた場合等に、可動戸によってコンテナ内の荷が落下することを防止することができる。また、可動戸付きのコンテナであるため、その中の荷の盗難防止を図ることができるとともに雨養生も兼ねることができる。
【００１９】
請求項６記載の発明は、請求項１から５のいずれかに記載の建設工事用仮設物において、前記仮設設備の前方には、構造物のフロア側に開くとともに開いた状態で開閉動がロックされる扉が設けられていることを特徴としている。
【００２０】
このような特徴により、開かれた状態で扉がロックされることで、仮設設備の側方に形成される隙間（開口）が当該扉によって塞がれ、扉が開口養生枠となる。また、開かれた状態でロックされた扉が構造物の壁や柱等に掛止されることで当該扉が振れ止めとなり、吊り下げ状態の吊り部（仮設設備）の振れが抑制される。
【００２１】
請求項７記載の発明は、請求項１から６のいずれかに記載の建設工事用仮設物において、前記吊り部が上下方向に間隔をあけて複数段設けられていることを特徴としている。
【００２２】
このような特徴により、構造物の複数の層に仮設設備をそれぞれ配置させることができる。
【発明の効果】
【００２３】
本発明に係る建設工事用仮設物によれば、工事中において未利用の空間に仮設設備が吊られた状態で配設されるため、現場の１階廻りの動線を制限せずにストックヤード等の仮設設備を設置することができ、作業効率を向上させることができる。また、仮設設備を構造物の中層階や上層階に配置させることができるため、仮設設備と作業場との往復時間を短くすることができ、これによって、生産性を向上させることができる。
【発明を実施するための最良の形態】
【００２４】
以下、本発明に係る建設工事用仮設物の実施の形態について、図面に基いて説明する。
【００２５】
図１は本実施の形態における建設工事用仮設物１を側面から観た立面図であり、図２は本実施の形態における建設工事用仮設物１を正面から観た立面図である。図１，図２に示すように、建設工事用仮設物１は、例えば、多層構造物Ａの新築工事或いは改修工事において使用される仮設物であって、構造物Ａに形成されたエレベータシャフト空間（以下、ＥＶシャフト空間Ｓと記す。）の中に設置されている。このＥＶシャフト空間Ｓは、図示せぬ本設のエレベータの昇降路となる空間であって、構造物Ａの各階のフロアＦ…を貫通して形成された上下方向に複数層に亘って延在する空間である。なお、建設工事用仮設物１は、図示せぬ本設エレベータを設置する前の工事期間中にＥＶシャフト空間Ｓに設置される仮設物であり、本設エレベータを設置する際には撤去されるものである。
【００２６】
建設工事用仮設物１は、工事期間中のＥＶシャフト空間Ｓの中に例えば資機材をストックするためのコンテナ５…（仮設設備）を配設させるものであり、ＥＶシャフト空間Ｓ内に架設される上部支持部２と、上部支持部２から吊り下げられた複数の懸垂材３…と、これらの懸垂材３…を介して上部支持部２に吊持された吊り部４…とが備えられた構成からなる。
【００２７】
図３は本実施の形態における上部支持部２を側面から観た側面図であり、図４は本実施の形態における上部支持部２を正面から観た側面図である。
図３，図４に示すように、上部支持部２は、構造物Ａの上方躯体に建設工事用仮設物１の全荷重を預けるための部位であり、ＥＶシャフト空間Ｓ上層部にある大梁Ｇと小梁Ｂとの間に架け渡すように当該大梁Ｇと小梁Ｂとの上に載せられている。上部支持部２は、大梁Ｇおよび小梁Ｂの上に載せられた部分が伸縮可能になっており、具体的な構成としては、大梁Ｇと小梁Ｂとの間に架け渡される複数本実施の形態では２本）の支持ビーム６，６と、複数の支持ビーム６，６間に架け渡された複数（本実施の形態では２本）の吊持ビーム７，７とを備えた構成となっている。
【００２８】
支持ビーム６は、筒状の本体部６ａの両端にロッド状の両端部６ｂ，６ｂがそれぞれ挿装された構成からなるアウトリガー方式のビーム材であり、その両端部６ｂ，６ｂが本体部６ａの両端に出し入れされる構成からなる。支持ビーム６の両端部６ｂ，６ｂが大梁Ｇや小梁Ｂの上に載置されることで、支持ビーム６が大梁Ｇと小梁Ｂとの間に架設されている。
【００２９】
吊持ビーム７は、その両端に懸垂材３…を吊持する長尺部材であり、Ｈ型鋼等の鋼材からなる本体部７ａの両端に三角形状の鋼材からなるブラケット部７ｂ，７ｂがボルト接合等によって付設された構成からなる。吊持ビーム７，７は、支持ビーム６，６に直交させて配置されており、支持ビーム６，６と吊持ビーム７，７とはロ型（井桁状）に組まれている。なお、吊持ビーム７は、その本体部７ａが複数の支持ビーム６，６の本体部６ａ，６ａ上に載せられて当該本体部６ａ，６ａにボルト接合や溶接接合等によって固定されることで、支持ビーム６，６上に取り付けられている。また、ブラケット部７ｂ，７ｂは、支持ビーム６，６から側方に張り出された状態で設けられている。
【００３０】
また、支持ビーム６，６の本体部６ａ，６ａ間には、支持ビーム６，６間の開口を塞ぐための開口養生部８が形成されている。この開口養生部８は、複数の足場板等を支持ビーム６，６間に敷設した構成からなる。また、両側の支持ビーム６，６の本体部６ａ，６ａの上面には手摺９，９がそれぞれ付設されている。この手摺９，９は、支持ビーム６，６の軸方向に沿って立てられている。
【００３１】
図１，図２に示すように、懸垂材３は、吊り部４を吊り下げるための吊り材であり、ネジ鉄筋からなる条材である。この懸垂材３は、複数のネジ鉄筋材３ａ…同士が連結用スリーブ３ｂ…を介して連結された構成からなり、各々の上端部が上記した上部支持部２に固定されて上部支持部２から吊り下げられ、ＥＶシャフト空間Ｓの高さ方向に沿って延在されている。具体的には、図３，図４に示すように、吊持ビーム７，７のブラケット部７ｂ…にはそれぞれ図示せぬ貫通孔が形成されており、これらの貫通孔に懸垂材３…の上端がそれぞれ挿通されてロックナット等の固定具１０…によって固定され、各吊持ビーム７，７の両端（ブラケット部７ｂ…）から懸垂材３…がそれぞれ吊り下げられている。なお、懸垂材３…として、ネジ鉄筋以の鋼棒や鋼材、ワイヤーロープ、吊りチェーン等を用いることもできる。
【００３２】
図５は本実施の形態における吊り部４の断面図であり、図６は本実施の形態における吊り部４の平面図である。
図５，図６に示すように、吊り部４は、コンテナ５を載せるための架台であり、並列に配置された複数（本実施の形態では２本一対）の吊りビーム１１，１１から構成されている。吊りビーム１１は、２本の懸垂材３，３によって両端が吊持された長尺部材であり、Ｈ型鋼等の鋼材からなる本体部１１ａの両端に三角形状の鋼材からなるブラケット部１１ｂ，１１ｂがボルト接合等によって付設された構成からなる。吊りビーム１１のブラケット部１１ｂ，１１ｂには、図示せぬ貫通孔がそれぞれ形成されており、これらの貫通孔に懸垂材３，３がそれぞれ挿通されてロックナット等の固定具１２，１２によってそれぞれ固定されている。また、上記した構成からなる吊り部４…は、上下方向に間隔をあけて複数段設けられている。具体的には、構造物Ａの各フロアＦ…に対応する位置に吊り部４…がそれぞれ設けられた、つまり、各フロアＦ…毎に吊り部４…が配設された構成になっている。
【００３３】
コンテナ５は、公知の汎用コンテナであり、前面（構造物ＡのフロアＦ側の面）の出入口５ａにシャッター５ｂ（可動戸）が設けられた構成からなる。このコンテナ５は、吊り部４上に載置されており、具体的には、一対の吊りビーム１１，１１上に架け渡された状態で設置されている。また、コンテナ５は、吊りビーム１１，１１に対してボルト接合や溶接等によって固定されている。なお、上記したシャッター５ｂを開き戸や引き戸等に代えることも可能である。
【００３４】
また、建設工事用仮設物１には、各コンテナ５…の前方（構造物ＡのフロアＦ側）に配設された扉１３…が備えられている。この扉１３は、構造物ＡのフロアＦ側に開く開き戸であって、コンテナ５の前面両側にそれぞれ配置された上下方向に延在する扉支持用単管１４，１４と、扉支持用単管１４，１４に軸支された２枚の扉体１５，１５とからなる。扉支持用単管１４は、下端がその階のコンテナ５を載置する吊り部４の吊りビーム１１に固定されているとともに上端が上層階の吊り部４の吊りビーム１１に固定されており、上下の吊り部４（前方側の吊りビーム１１，１１）間に架設されている。扉体１５は、その一方の側端部が扉支持用単管１４に回転可能に取り付けられており、２枚の扉体１５，１５は、観音開き式に開閉される。なお、扉１３が閉じられた状態のとき、扉体１５，１５は、コンテナ５の前面に対向配置されてＥＶシャフト空間Ｓの内側に配設され、反対に扉１３が開けられた状態のとき、両側の扉体１５，１５は、平面視ハ字状に開かれ、コンテナ５前方にある壁体Ｗの前方にそれぞれ張り出されて壁体Ｗにそれぞれ掛止される。また、扉１３には、上記開けられた状態で開閉動をロックする図示せぬロック機構（例えばピン式）が備えられており、このロック機構によって、扉体１５，１５は、開けられた状態のまま動かないようにロックされる。なお、後述するように建設工事用仮設物１を吊り上げる際、扉体１５，１５は閉じられた状態でロックされる。
【００３５】
また、建設工事用仮設物１には、各コンテナ５…と構造物Ａの各階のフロアＦ…との間にそれぞれ設けられた渡り設備１６…が備えられている。この渡り設備１６は、コンテナ５とフロアＦとを繋ぐスロープ状の設備であって、コンテナ５の前方側の一辺に沿って延在する盤状のスロープ部材１７からなる。このスロープ部材１７は、可倒式の部材であり、吊り部４のフロアＦ側（前方側）の側部（一対の吊りビーム１１，１１のうちのフロアＦ側の吊りビーム１１）に鉛直方向に回転可能に取り付けられている。なお、後述するように建設工事用仮設物１を吊り上げる際、スロープ部材１７は起こされて、閉じられた扉体１５，１５の内側に格納される。
【００３６】
次に、上記した構成からなる建設工事用仮設物の組立方法について説明する。
【００３７】
まず、予め、工場や現場の組立ヤード等で、支持ビーム６，６及び吊持ビーム７，７、開口養生部８、手摺9，9を組み立てて上部支持部２を形成しておく。また、吊り部４及びコンテナ５、扉１３、渡り設備１６からなるストッカーユニット１８を複数準備しておく。ストッカーユニット１８は、吊り部４の上にコンテナ５を設置するとともに、前方側の吊りビーム１１に扉支持用単管１４，１４を立設させてコンテナ５の前方に扉１３を設け、さらに、前方側の吊りビーム１１に渡り設備１６を取り付けることで、組み立てられる。
【００３８】
次に、組み立てられた上部支持部２に玉掛けワイヤＴを玉掛けし、この玉掛けワイヤＴを介して上部支持部２を図示せぬクレーン等の揚重装置によって吊り上げ、上部支持部２をＥＶシャフト空間Ｓの内部に移動させる。そして、上部支持部２をクレーン等で吊った状態のまま、上部支持部２の吊持ビーム７，７の両端に懸垂材３…を構成するネジ鉄筋材３ａ…をそれぞれ取り付ける。図示せぬフォークリフト等を用いて、ストッカーユニット１８を懸垂材３…に取り付ける。
【００３９】
その後、クレーン等で吊った状態のまま、上部支持部２の吊持ビーム７，７の両端から吊り下げられたネジ鉄筋材３ａ…の下端に連結用スリーブ３ｂ…を介して別のネジ鉄筋材３ａ…をそれぞれ連結し、懸垂材３…を継ぎ足していくとともに、上記したストッカーユニット１８の下方に別のストッカーユニット１８…を順次取り付けていく。
また、仕上げ進捗に伴い、各階又は数階ごとに建設工事用仮設物１を盛替える場合も、クレーン等で建設工事用仮設物１を一括で吊り上げて移動させる。
【００４０】
上記した構成からなる建設工事用仮設物１によれば、ＥＶシャフト空間Ｓ内に架設される上部支持部２と、上部支持部２から吊り下げられた懸垂材３…と、懸垂材３…を介して上部支持部２に吊持された吊り部４…とが備えられ、吊り部４…にコンテナ５…が設置された構成からなるため、工事中において未利用の空間であったＥＶシャフト空間Ｓに、コンテナ５…が吊られた状態で配設される。これによって、現場の１階廻りの動線を制限せずに、資機材をストックするためのコンテナ５…を設置することができ、作業効率を向上させることができる。また、コンテナ５…を構造物Ａの中層階や上層階に配置させることができるため、小資材や道具を作業階近傍にストックすることができる。これによって、コンテナ５…と作業場との往復時間を短くして資材の供給や道具の出し入れのための時間を大幅に短くすることができる。そして、その分の時間を組立などの実効のある作業時間に振り返ることで、生産性を向上させることができる。また、ある程度まとまった量の小資材を上層階にストックしておくことができるため、１階からの供給頻度が減り、構造物Ａが高層建物である場合でも、工事用エレベータの負荷軽減を図ることができる。
【００４１】
また、上記した建設工事用仮設物１は、上部支持部２が、構造物Ａの躯体である大梁Ｇと小梁Ｂとの間に架け渡すように当該大梁Ｇ及び小梁Ｂ上に載せられた構成になっている。このような構成により、クレーン等を用いて、建設工事用仮設物１を一括で吊り上げることが可能であり、建設工事用仮設物１を容易に移動させることができる。
【００４２】
また、上記した建設工事用仮設物１は、上部支持部２に、構造物Ａの躯体である大梁Ｇと小梁Ｂとの間に架け渡される支持ビーム６，６が備えられており、この支持ビーム６，６の両端が伸縮可能な構成になっている。このような構成により、建設工事用仮設物１を吊り上げる際に、支持ビーム６，６の端部がＥＶシャフト空間Ｓ内の躯体部分に引っ掛かることが防止される。これによって、建設工事用仮設物１の吊り上げ作業をスムーズに行うことができる。
【００４３】
また、上記した建設工事用仮設物１は、コンテナ５…と構造物ＡのフロアＦ…との間に渡り設備１６…が設けられた構成になっている。このような構成により、コンテナ５が構造物ＡのフロアＦから離れて配置されている場合であっても、構造物ＡのフロアＦからコンテナ５にアクセスが可能になる。また、コンテナ５と構造物ＡのフロアＦとの隙間（開口）を塞いでその隙間からの落下や転落を防止することができる。
【００４４】
また、上記した建設工事用仮設物１は、吊り部４上に載置させる仮設設備として、出入口出入口５ａにシャッター５ｂが設けられたコンテナ５を用いた構成になっている。このような構成により、建設工事用仮設物１を吊り上げて移動させた時に、シャッター５ｂによってコンテナ５内の荷が落下することを防止することができる。また、シャッター５ｂ付きのコンテナ５であるため、その中の荷の盗難防止を図ることができ、さらに、雨養生も兼ねることができる。
【００４５】
また、上記した建設工事用仮設物１は、コンテナ５…の前方に、構造物ＡのフロアＦ側に開くとともに開いた状態で開閉動がロックされる扉１３…が設けられた構成になっている。このような構成により、開かれた状態で扉１３がロックされることで、コンテナ５の両側方に形成される隙間が当該扉１３の扉体１５，１５によって塞がれて扉１３が開口養生枠となる。これによって、上記隙間からの落下や転落を防止することができる。また、開かれた状態でロックされた扉１３が構造物Ａの壁体Ｗに掛止されることで当該扉１３が振れ止めとなり、吊り下げ状態の吊り部４…やコンテナ５…の振れが抑制される。これによって、地震等のときに、コンテナ５が構造物ＡのフロアＦから離れることを防止することができ、安全性を向上させることができる。
【００４６】
また、上記した建設工事用仮設物１は、吊り部４…が上下方向に間隔をあけて複数段設けられた構成になっている。このような構成により、構造物Ａの各層にコンテナ５…をそれぞれ配置させることができる。
【００４７】
また、コンテナ５は、汎用コンテナを用いることができるため、多岐にわたるＥＶシャフト空間Ｓの内法寸法に対応することができ、また、コンテナ５以外の部材も殆ど汎用品であるため、特注部品が殆どいらず、安価に実現することができる。
【００４８】
以上、本発明に係る建設工事用仮設物の実施の形態について説明したが、本発明は上記した実施の形態に限定されるものではなく、その趣旨を逸脱しない範囲で適宜変更可能である。例えば、上記した実施の形態では、ＥＶシャフト空間Ｓの中に建設工事用仮設物１を設置しているが、本発明は、ＥＶシャフト空間Ｓ以外の上下方向に複数層に亘って延在する空間の中に本発明に係る建設工事用仮設物を設置することができ、例えば、構造物に形成された吹き抜け空間の中に本発明に係る建設工事用仮設物を設置してもよい。
【００４９】
また、上記した実施の形態では、資機材をストックするためのコンテナ５を吊り部４の上に設置しているが、本発明は、吊り部の上にコンテナ以外の仮設設備を設置してもよく、例えば、廃材等を一次的に集積させる集積用コンテナであってもよく、また、作業員の休憩室となる仮設ハウスでもよく、さらに、作業員が使用する仮設トイレ、仮設シンク、仮設シャワールーム等であってもよい。また、吊り部の上にパレットを載せたり、足場板等を敷設したりして、ストックヤードを形成してもよく、或いは、単管や建枠、アンチ等の仮設材で組まれたストック棚等を吊り部に設置してもよい。
【００５０】
また、上記した実施の形態では、４本の懸垂材３…によって吊り部４…が吊持されているが、本発明は、例えば仮設設備や吊り部の重量が大きい等の事情により、５本以上の懸垂材によって吊り部を吊持させてもよく、また、例えば懸垂材としてＨ型鋼等の鋼材を使用する等して、３本以下の懸垂材によって吊り部を吊持させてもよい。
【００５１】
また、上記した実施の形態では、上部支持部２が、大梁Ｇと小梁Ｂとの間に架け渡される支持ビーム６，６と懸垂材３…を吊持する吊持ビーム７，７とをロ型に組んだ構成からなるが、本発明は、上記した上部支持部２に限定されるものではなく、例えば、支持ビームと吊持ビームとをＨ型、コ型或いはその他の形に組んだ構成からなる上部支持部であってもよく、また、躯体間に架設されたビームに懸垂材を直接吊持させる構成からなる上部支持部であってもよい。さらに、本発明は、ビーム部材以外の部材で上部支持部を形成してもよく、例えば、ロッド状或いは板状の部材を立方体状、盤状或いはその他の形状に組んだ構成からなる上部支持部であってもよい。
【００５２】
また、上記した実施の形態では、吊り部４は、並列配置された２本の吊りビーム１１，１１から構成されているが、本発明は、上記した吊りビーム１１，１１からなる吊り部４に限定されるものではなく、例えば、吊りビームをロ型、Ｈ型、コ型或いはその他の形状に組んだ構成からなる吊り部であってもよく、また、板状或いはパレット状の吊り部であってもよい。
【００５３】
また、上記した実施の形態では、上部支持部２が大梁Ｇと小梁Ｂとの間に架け渡すように載せられているが、本発明は、上部支持部が構造物の躯体に固定されていてもよい。これによって、建設工事用仮設物をそのまま吊り上げることはできなくなるが、地震や不慮の事態によって上部支持部がずれて動くことを防止することができる。
【００５４】
また、上記した実施の形態では、支持ビーム６，６の両端部６ｂ，６ｂが伸縮可能な構成になっているが、本発明は、支持ビームの両端が回動可能になっていてもよく、例えば、上部支持部を構成する支持ビームの両端部が、回転軸を介して支持ビームの本体部に回動可能に取り付けられていてもよい。さらに、本発明は、上部支持部を構成する支持ビームの両端が伸縮しなくてもよい。これによって、安価な支持ビームを使用することができる。
【００５５】
また、上記した実施の形態では、建設工事用仮設物１には、扉１３や渡り設備１６が備えられているが、本発明は、上記した扉や渡り設備が備えられていない構成であってもよく、或いは、上記した扉や渡り設備と異なる構成の扉や渡り設備が備えられていてもよい。例えば、上記した実施の形態では、観音開き式の扉１３が設けられているが、本発明は、片側開きの扉が設けられていてもよい。また、上記した実施の形態では、スロープ上の渡り設備１６が設けられているが、本発明は、フラットな渡り設備が設けられていてよく、または、階段状の渡り設備が設けられていてもよい。
【００５６】
また、上記した実施の形態では、コンテナ５の出入口５ａに、可動戸であるシャッター５ｂが設けられているが、本発明は、可動戸が設けられていないコンテナを用いてもよい。
また、上記した実施の形態では、吊り部４…が上下方向に間隔をあけて複数段設けられており、構造物Ａの各フロアＦ…にコンテナ５…が配設されているが、本発明は、吊り部が１つだけ吊持されている構成であってもよく、或いは吊り部が横並びに複数配設された構成であってもよい。また、吊り部が構造物の複数フロア毎に設けられ、コンテナ等の仮設設備が複数フロア毎に配設されていてもよい。
【００５７】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５８】
【図１】本発明に係る実施の形態を説明するための建設工事用仮設物の側面図である。
【図２】本発明に係る実施の形態を説明するための建設工事用仮設物の側面図である。
【図３】本発明に係る実施の形態を説明するための上部支持部の側面図である。
【図４】本発明に係る実施の形態を説明するための上部支持部の側面図である。
【図５】本発明に係る実施の形態を説明するための吊り部の断面図である。
【図６】本発明に係る実施の形態を説明するための吊り部の平面図である。
【符号の説明】
【００５９】
１  建設工事用仮設物
２  上部支持部
３  懸垂材
４  吊り部
５  コンテナ（仮設設備）
５ａ  出入口
５ｂ  シャッター（可動戸）
６  支持ビーム
１３  扉
１６  渡り設備
Ａ  構造物
Ｂ  小梁（躯体）
Ｆ  フロア
Ｇ  大梁（躯体）
Ｓ  ＥＶシャフト空間（空間）
【図１】
2007255044.tif 000003
【図２】
2007255044.tif 000004
【図３】
2007255044.tif 000005
【図４】
2007255044.tif 000006
【図５】
2007255044.tif 000007
【図６】
2007255044.tif 000008